(57)【要約】【課題】コンテンツ再生装置において、より少ない操作回数で目的のコンテンツを見つけ出して再生できるようにする。【解決手段】コンテンツ再生装置は、コンテンツを再生するためのディスプレイ及びスピーカと、本装置の動作を指示するためにユーザにより操作されるリモコンを備える。リモコンは、再生可能なビデオコンテンツを示すコンテンツリスト５０を表示するために操作されるビデオボタンを有する。コンテンツ再生装置は、リモコンのビデオボタンが押下操作されると、再生可能なビデオコンテンツを示すコンテンツリスト５０をディスプレイに表示し、ユーザによりリモコンを用いてコンテンツリスト５０の中から任意のコンテンツを選択するコンテンツ選択操作がなされると、その選択されたコンテンツをディスプレイ及びスピーカにより再生する。【選択図】図４
2008311822.tif 000002
【特許請求の範囲】
【請求項１】
コンテンツを再生するためのコンテンツ再生手段と、前記コンテンツ再生手段によりコンテンツを再生する動作を制御するコンテンツ再生制御手段と、本装置の動作を指示するためにユーザにより操作される操作手段とを備え、前記コンテンツ再生手段は、少なくとも、画像を表示するためのディスプレイを含むコンテンツ再生装置において、
再生可能なコンテンツを示すコンテンツリストを前記ディスプレイに表示する動作を制御するリスト表示制御手段を備え、
前記操作手段は、所定の種別のコンテンツについての前記コンテンツリストを表示するために操作されるダイレクトボタンを有し、
前記リスト表示制御手段は、前記操作手段の前記ダイレクトボタンが操作されると、前記所定の種別のコンテンツについての前記コンテンツリストを前記ディスプレイに表示し、
前記コンテンツ再生制御手段は、ユーザにより前記操作手段を用いて前記コンテンツリストの中から任意のコンテンツを選択するコンテンツ選択操作がなされると、その選択されたコンテンツを前記コンテンツ再生手段により再生する、
ことを特徴とするコンテンツ再生装置。
【請求項２】
前記コンテンツ再生制御手段は、静止画像から成るフォトコンテンツ、音楽から成るミュージックコンテンツ、及び動画像から成るビデオコンテンツを再生する動作を制御し、
前記ダイレクトボタンは、前記フォトコンテンツについての前記コンテンツリストを表示するために操作されるフォトボタン、前記ミュージックコンテンツについての前記コンテンツリストを表示するために操作されるミュージックボタン、前記ビデオコンテンツについての前記コンテンツリストを表示するために操作されるビデオボタンを含み、
前記リスト表示制御手段は、
前記フォトボタンが操作されると、前記フォトコンテンツについての前記コンテンツリストを表示し、
前記ミュージックボタンが操作されると、前記ミュージックコンテンツについての前記コンテンツリストを表示し、
前記ビデオボタンが操作されると、前記ビデオコンテンツについての前記コンテンツリストを表示する、
ことを特徴とする請求項１に記載のコンテンツ再生装置。
【請求項３】
他の装置と通信を行うための通信手段をさらに備え、
前記リスト表示制御手段は、前記通信手段を介して本装置と通信接続されている他の装置に記憶されているコンテンツについてのコンテンツリストを表示する、
ことを特徴とする請求項２に記載のコンテンツ再生装置。
【請求項４】
コンテンツが記憶されるコンテンツ記憶部をさらに備え、
前記リスト表示制御手段は、前記コンテンツ記憶部に記憶されているコンテンツについての前記コンテンツリストを表示する、
ことを特徴とする請求項３に記載のコンテンツ再生装置。
【発明の詳細な説明】
【技術分野】
【０００１】
本発明は、画像や音楽などのコンテンツを再生するコンテンツ再生装置に関するものである。
【背景技術】
【０００２】
従来から、画像や音楽などのコンテンツを再生するコンテンツ再生装置において、再生可能なコンテンツを示すコンテンツリストをディスプレイに表示し、コンテンツリストの中から任意のコンテンツを選択するコンテンツ選択操作がなされると、その選択されたコンテンツを再生するようにしたものがある。このようなコンテンツ再生装置は、まず、リモコンのコンテンツボタンが押下されると、コンテンツの種別（フォトコンテンツ、ミュージックコンテンツ、ビデオコンテンツ）を選択するための種別選択画像を表示し、次に、リモコンにより種別選択画像の中からコンテンツの種別を選択するコンテンツ種別選択操作がなされると、その選択された種別のコンテンツについての再生可能なコンテンツを示すコンテンツリストを表示し、そして、リモコンによりコンテンツリストの中からコンテンツを選択するコンテンツ選択操作がなされると、そのコンテンツを再生するようになっている。
【０００３】
また、コンテンツ再生装置には、コンテンツを供給する複数のコンテンツ供給装置と通信接続され、コンテンツ供給装置からコンテンツの供給を受けて、コンテンツを再生するようにしたものもある。このようなコンテンツ再生装置においては、リモコンのコンテンツボタンが押下されると、上述のコンテンツの種別を選択するための種別選択画像を表示する前に、コンテンツ供給装置を選択（いずれのコンテンツ供給装置からコンテンツの供給を受けるかを選択）するための装置選択画像を表示し、そして、リモコンにより装置選択画像の中からコンテンツ供給装置を選択する装置選択操作がなされると、上述のコンテンツの種別を選択するための種別選択画像を表示するようになっている。
【０００４】
一方、リモコンサーバが、コンテンツのメタ情報を保持して、コンテンツにたどり着くための最初の情報提供機能を担うようにすることにより、コンテンツを保持しているコンテンツ供給装置の状態に関わらず、コンテンツのメタ情報の提供を可能としたコンテンツ情報管理システムが知られている（例えば特許文献１参照）。また、リモコンに映像の種類（ニュース、映画等）に対応したボタンを設け、そのボタンを押すと、そのボタンに対応した映像（ニュースのボタンを押すと、ニュースの映像）を再生するようにした映像再生装置が知られている（例えば特許文献２参照）。また、あるコンテンツをユーザが選択すると、リモコンの液晶表示面上に、そのコンテンツに対してユーザが行うことができる操作に対応したユーザインタフェースを表示するようにしたリモコンが知られている（例えば特許文献３参照）。
【特許文献１】特開２００６−２２７８４３号公報
【特許文献２】特開２００１−１２８０９３号公報
【特許文献３】特開２００５−２２３９３１号公報
【発明の開示】
【発明が解決しようとする課題】
【０００５】
ところが、上述した従来のコンテンツ再生装置においては、ある種別のコンテンツ（フォトコンテンツ、ミュージックコンテンツ、ビデオコンテンツ）についてのコンテンツリストを表示させるためには、まず、コンテンツの種別を選択するための種別選択画像を表示させ、次に、コンテンツ種別選択操作によりコンテンツの種別を選択する必要がある。すなわち、従来のコンテンツ再生装置においては、ある種別のコンテンツについてのコンテンツリストを表示させるためには、種別選択画像を表示させるための操作（コンテンツボタンの押下操作のみ、又は、コンテンツボタンの押下操作と装置選択画像の中からコンテンツ供給装置を選択する装置選択操作の両方）とコンテンツ種別選択操作の少なくとも２回の操作が必要である。また、コンテンツを再生するには、コンテンツリストの中からコンテンツを選択するコンテンツ選択操作がさらに必要である。
【０００６】
つまり、従来のコンテンツ再生装置では、少なくとも２回以上の操作を行わないと、ある種別のコンテンツについてのコンテンツリストを表示することができず、また、少なくとも３回以上の操作を行わないと、コンテンツを再生することができなかった。このため、再生しようとする目的のコンテンツを見つけ出す（すなわち、目的のコンテンツと同じ種別のコンテンツについてのコンテンツリストを表示させる）のに多くの操作が必要であり、また、目的のコンテンツを再生するのに多くの操作が必要であり、使い勝手が悪かった。なお、上述した特許文献１乃至特許文献３に開示の内容を適用したとしても、上記の問題を解決することはできない。
【０００７】
本発明は、上記課題を解決するためになされたものであり、より少ない操作回数で目的のコンテンツを見つけ出して再生することができるコンテンツ再生装置を提供することを目的とする。
【課題を解決するための手段】
【０００８】
上記目的を達成するために請求項１の発明は、コンテンツを再生するためのコンテンツ再生手段と、コンテンツ再生手段によりコンテンツを再生する動作を制御するコンテンツ再生制御手段と、本装置の動作を指示するためにユーザにより操作される操作手段とを備え、コンテンツ再生手段は、少なくとも、画像を表示するためのディスプレイを含むコンテンツ再生装置において、再生可能なコンテンツを示すコンテンツリストをディスプレイに表示する動作を制御するリスト表示制御手段を備え、操作手段は、所定の種別のコンテンツについてのコンテンツリストを表示するために操作されるダイレクトボタンを有し、リスト表示制御手段は、操作手段のダイレクトボタンが操作されると、所定の種別のコンテンツについてのコンテンツリストをディスプレイに表示し、コンテンツ再生制御手段は、ユーザにより操作手段を用いてコンテンツリストの中から任意のコンテンツを選択するコンテンツ選択操作がなされると、その選択されたコンテンツをコンテンツ再生手段により再生するものである。
【０００９】
請求項２の発明は、請求項１に記載のコンテンツ再生装置において、コンテンツ再生制御手段は、静止画像から成るフォトコンテンツ、音楽から成るミュージックコンテンツ、及び動画像から成るビデオコンテンツを再生する動作を制御し、ダイレクトボタンは、フォトコンテンツについてのコンテンツリストを表示するために操作されるフォトボタン、ミュージックコンテンツについてのコンテンツリストを表示するために操作されるミュージックボタン、ビデオコンテンツについてのコンテンツリストを表示するために操作されるビデオボタンを含み、リスト表示制御手段は、フォトボタンが操作されると、フォトコンテンツについてのコンテンツリストを表示し、ミュージックボタンが操作されると、ミュージックコンテンツについてのコンテンツリストを表示し、ビデオボタンが操作されると、ビデオコンテンツについてのコンテンツリストを表示するものである。
【００１０】
請求項３の発明は、請求項２に記載のコンテンツ再生装置において、他の装置と通信を行うための通信手段をさらに備え、リスト表示制御手段は、通信手段を介して本装置と通信接続されている他の装置に記憶されているコンテンツについてのコンテンツリストを表示するものである。
【００１１】
請求項４の発明は、請求項３に記載のコンテンツ再生装置において、コンテンツが記憶されるコンテンツ記憶部をさらに備え、リスト表示制御手段は、コンテンツ記憶部に記憶されているコンテンツについてのコンテンツリストを表示するものである。
【発明の効果】
【００１２】
請求項１の発明によれば、操作手段のダイレクトボタンが操作されると、所定の種別のコンテンツについて、再生可能なコンテンツを示すコンテンツリストが表示され、そして、ユーザにより操作手段を用いてコンテンツリストの中から任意のコンテンツを選択するコンテンツ選択操作がなされると、その選択されたコンテンツが再生される。従って、ダイレクトボタンの操作という１回の操作によって、目的のコンテンツを含む所定の種別のコンテンツについてのコンテンツリストが表示され、そのコンテンツリストの中から目的のコンテンツを見つけ出すことができる。そして、そのコンテンツリストに表示されている目的のコンテンツをコンテンツ選択操作により選択することによって、すなわち、ダイレクトボタンの操作とコンテンツ選択操作という２回の操作によって、目的のコンテンツを再生することができる。このように、より少ない操作回数で目的のコンテンツを見つけ出して再生することができ、使い勝手が向上する。
【００１３】
請求項２の発明によれば、ダイレクトボタン（フォトボタン、ミュージックボタン、ビデオボタン）を操作するという１回の操作で、フォトコンテンツ、ミュージックコンテンツ、ビデオコンテンツについて、再生可能なコンテンツを示すコンテンツリストが表示されるため、使い勝手が向上する。
【００１４】
請求項３の発明によれば、ダイレクトボタンを操作するという１回の操作で、本装置と通信接続されている他の装置に記憶されているコンテンツについて、再生可能なコンテンツを示すコンテンツリストが表示されるため、使い勝手が向上する。しかも、従来のようにコンテンツ供給装置を選択する操作が不要であるため、より少ない操作回数で目的のコンテンツを見つけ出して再生することができるという効果がより発揮され、より使い勝手が向上する。
【００１５】
請求項４の発明によれば、ダイレクトボタンを操作するという１回の操作で、本装置に記憶されているコンテンツについて、再生可能なコンテンツを示すコンテンツリストが表示されるため、使い勝手が向上する。
【発明を実施するための最良の形態】
【００１６】
以下、本発明を具体化した実施形態によるコンテンツ再生装置について図面を参照して説明する。図１は、本実施形態によるコンテンツ再生装置と、このコンテンツ再生装置にコンテンツを供給するコンテンツ供給装置との接続構成を示す。コンテンツ再生装置１と複数のコンテンツ供給装置２ａ、２ｂ、２ｃとは、ＬＡＮ３を介して通信可能に接続されている。
【００１７】
コンテンツ再生装置１は、画像や音楽などのコンテンツを再生する装置であり、画像を表示するためのディスプレイ１１と、音声を出力するためのスピーカ１２と、コンテンツ再生装置１の動作を指示するためにユーザにより操作される操作手段であるリモコン（リモートコントローラ）１３等を備えている。ディスプレイ１１は、画像から成るコンテンツを再生するためのコンテンツ再生手段であり、スピーカ１２は、音楽から成るコンテンツを再生するためのコンテンツ再生手段である。
【００１８】
コンテンツ再生装置１は、ＬＡＮ３を介してコンテンツ供給装置２ａ、２ｂ、２ｃと通信を行って、コンテンツ供給装置２ａ、２ｂ、２ｃからＬＡＮ３を介してコンテンツの供給を受け、そのコンテンツを再生するようになっている。また、コンテンツ再生装置１は、放送局から配信されるテレビ放送信号を受信して、そのテレビ放送信号に基くテレビ番組のコンテンツを再生できるようになっている。
【００１９】
コンテンツ供給装置２ａ、２ｂ、２ｃは、画像や音楽などのコンテンツを記憶し、また、記憶しているコンテンツを他の装置に供給する装置である。コンテンツ供給装置２ａ、２ｂ、２ｃは、ＬＡＮ３を介してコンテンツ再生装置１と通信を行って、記憶しているコンテンツをＬＡＮ３を介してコンテンツ再生装置１に供給するようになっている。
【００２０】
図２は、コンテンツ再生装置１の電気的ブロック構成を示す。コンテンツ再生装置１は、上述の構成に加え、コンテンツ再生装置１を制御するためのＣＰＵ等からなる制御部（コンテンツ再生制御手段、リスト表示制御手段）１５と、通信部１６と、チューナ１７と、ＡＶ処理部１８と、リモコン受信部１９等を備えている。
【００２１】
通信部１６は、制御部１５による制御のもと、ＬＡＮ３を介してコンテンツ供給装置２ａ、２ｂ、２ｃとの間で通信を行い、ＬＡＮ３を介して制御信号、画像信号、及び音声信号等の各種信号を送受信する。チューナ１７は、制御部１５による制御のもと、テレビ放送信号を受信し、その受信した信号を処理して、画像信号及び音声信号を生成する。ＡＶ処理部１８は、制御部１５による制御のもと、画像や音楽などのコンテンツをディスプレイ１１及びスピーカ１２により再生するために、通信部１６により受信した画像信号及び音声信号、チューナ１７により生成された画像信号及び音声信号を処理する。また、ＡＶ処理部１８は、制御部１５による制御のもと、各種画像をディスプレイ１１に表示するための画像信号を生成する。
【００２２】
リモコン受信部１９は、リモコン１３から送出された赤外線コード信号を受光し、その受光した信号を電気信号に変換する。ディスプレイ１１は、制御部１５による制御のもと、画像信号が供給されることにより、その画像信号による画像を表示する。スピーカ１２は、制御部１５による制御のもと、音声信号が供給されることにより、その音声信号による音声を出力する。
【００２３】
制御部１５は、リモコン受信部１９により受信した信号を基にリモコン１３の操作内容を判断し、リモコン１３の操作に応じて、再生可能なコンテンツを示すコンテンツリストをディスプレイ１１に表示するリスト表示動作、ディスプレイ１１及びスピーカ１２によりコンテンツを再生するコンテンツ再生動作等、コンテンツ再生装置１の各種動作を制御する。
【００２４】
コンテンツリストの表示は、制御部１５による制御のもと、以下のようにして行われる。すなわち、制御部１５は、コンテンツ供給装置２ａ、２ｂ、２ｃと通信を行って、コンテンツ供給装置２ａ、２ｂ、２ｃから、コンテンツ供給装置２ａ、２ｂ、２ｃに記憶されている再生可能なコンテンツについての情報（コンテンツ情報）を収集する。そして、制御部１５は、その収集したコンテンツ情報をＡＶ処理部１８に供給して、ＡＶ処理部１８によりコンテンツリストを表示するための画像信号を生成させ、ＡＶ処理部１８により生成された画像信号をディスプレイ１１に供給する。これにより、コンテンツリストがディスプレイ１１に表示される。制御部１５は、このようにして、コンテンツリストを表示する。
【００２５】
コンテンツの再生は、制御部１５による制御のもと、以下のようにして行われる。すなわち、制御部１５は、コンテンツ供給装置２ａ、２ｂ、２ｃと通信を行って、コンテンツ供給装置２ａ、２ｂ、２ｃから、コンテンツ供給装置２ａ、２ｂ、２ｃに記憶されているコンテンツの画像信号、音声信号等の供給（すなわちコンテンツの供給）を受ける。そして、制御部１５は、コンテンツ供給装置２ａ、２ｂ、２ｃから供給された画像信号、音声信号等をＡＶ処理部１８に供給して、ＡＶ処理部１８により画像信号、音声信号等を処理させ、ＡＶ処理部１８により処理された画像信号をディスプレイ１１に供給し、また、ＡＶ処理部１８により処理された音声信号をスピーカ１２に供給する。これにより、コンテンツ供給装置２ａ、２ｂ、２ｃから供給されたコンテンツがディスプレイ１１及びスピーカ１２により再生される。制御部１５は、このようにして、コンテンツを再生する。制御部１５は、コンテンツ再生動作において、静止画像から成るフォトコンテンツ、音楽から成るミュージックコンテンツ、及び動画像から成るビデオコンテンツを再生する。
【００２６】
図３は、上記リモコン１３の構成を示す。リモコン１３は、コンテンツ再生装置１の各種動作を指示するためにユーザに操作される操作ボタンとして、ダイレクトボタン３１、テレビボタン３２、数字ボタン３３、カーソルボタン３４ａ〜３４ｄ、及び決定ボタン３５等を備え、また、これらの操作ボタンの操作に応じて赤外線コード信号を送出する投光部３６を備えている。
【００２７】
ダイレクトボタン３１は、所定の種別のコンテンツについて、再生可能なコンテンツのリスト（コンテンツリスト）をディスプレイ１１に表示するために操作されるボタンである。ダイレクトボタン３１は、コンテンツの種別に対応して設けられており、フォトボタン３１ａ、ミュージックボタン３１ｂ、及びビデオボタン３１ｃを含んでいる。すなわち、フォトボタン３１ａは、フォトコンテンツについてのコンテンツリストを表示するために操作されるボタンであり、ミュージックボタン３１ｂは、ミュージックコンテンツについてのコンテンツリストを表示するために操作されるボタンであり、ビデオボタン３１ｃは、ビデオコンテンツについてのコンテンツリストを表示するために操作されるボタンである。
【００２８】
テレビボタン３２は、テレビ番組の視聴を開始する等のために操作されるボタンである。数字ボタン３３は、数値を選択するためのボタンであり、コンテンツリストにより表示されているコンテンツの中から任意のコンテンツを選択、決定したり、テレビ放送の受信チャンネルを選局する等のために操作されるボタンである。カーソルボタン３４ａ〜３４ｄは、コンテンツリストの中から任意のコンテンツを選択する等のために操作されるボタンであり、決定ボタン３５は、カーソルボタン３４ａ〜３４ｄによる選択を決定する等のために操作されるボタンである。リモコン１３は、これらの操作ボタンの操作に応じて、その操作に対応付けられた赤外線コード信号を投光部３６から送出する。
【００２９】
図４は、ビデオコンテンツについてのコンテンツリストの表示例を示す。ビデオコンテンツについてのコンテンツリスト５０には、再生可能なビデオコンテンツの整理番号、タイトル名、概要が一覧形式で並べて表示される。整理番号は番号欄５１に表示され、タイトル名はタイトル欄５２に表示され、概要は概要欄５３に表示される。なお、フォトコンテンツについてのコンテンツリスト及びミュージックコンテンツについてのコンテンツリストの表示例については図示を省略するが、フォトコンテンツについてのコンテンツリストには、再生可能なフォトコンテンツの整理番号、アルバム名、撮影日時等が表示され、ミュージックコンテンツについてのコンテンツリストには、再生可能なミュージックコンテンツの整理番号、アーティスト名、アルバム名、再生時間等が表示される。
【００３０】
図５は、上記コンテンツ再生装置１の動作フローチャートを示す。まず、リモコン１３のフォトボタン３１ａが押下されると（＃１でＹＥＳ）、制御部１５は、再生可能なフォトコンテンツについてのコンテンツリストをディスプレイ１１に表示する（＃２）。すなわち、制御部１５は、コンテンツ供給装置２ａ、２ｂ、２ｃと通信を行って、コンテンツ供給装置２ａ、２ｂ、２ｃに記憶されている再生可能なフォトコンテンツについてのコンテンツ情報（アルバム名、撮影日時等）を収集し、そして、その収集したコンテンツ情報に基くコンテンツリスト（すなわち再生可能なフォトコンテンツについてのコンテンツリスト）をディスプレイ１１に表示する。
【００３１】
また、リモコン１３のミュージックボタン３１ｂが押下されると（＃３でＹＥＳ）、制御部１５は、再生可能なミュージックコンテンツについてのコンテンツリストをディスプレイ１１に表示する（＃４）。すなわち、制御部１５は、コンテンツ供給装置２ａ、２ｂ、２ｃと通信を行って、コンテンツ供給装置２ａ、２ｂ、２ｃに記憶されている再生可能なミュージックコンテンツについてのコンテンツ情報（アーティスト名、アルバム名、再生時間等）を収集し、そして、その収集したコンテンツ情報に基くコンテンツリスト（すなわち再生可能なミュージックコンテンツについてのコンテンツリスト）をディスプレイ１１に表示する。
【００３２】
また、リモコン１３のビデオボタン３１ｃが押下されると（＃５でＹＥＳ）、制御部１５は、再生可能なビデオコンテンツについてのコンテンツリストをディスプレイ１１に表示する（＃６）。すなわち、制御部１５は、コンテンツ供給装置２ａ、２ｂ、２ｃと通信を行って、コンテンツ供給装置２ａ、２ｂ、２ｃに記憶されている再生可能なビデオコンテンツについてのコンテンツ情報（タイトル名、概要）を収集し、そして、その収集したコンテンツ情報に基くコンテンツリスト（すなわち再生可能なビデオコンテンツについてのコンテンツリスト）をディスプレイ１１に表示する。
【００３３】
そして、リモコン１３によりコンテンツリストの中から任意のコンテンツを選択するコンテンツ選択操作がなされると（＃７でＹＥＳ）、制御部１５は、その選択されたコンテンツをディスプレイ１１及びスピーカ１２により再生する（＃８）。すなわち、制御部１５は、コンテンツ供給装置２ａ、２ｂ、２ｃと通信を行って、コンテンツ選択操作により選択されたコンテンツの供給を受け、そして、その供給されたコンテンツ（すなわちコンテンツ選択操作により選択されたコンテンツ）をディスプレイ１１及びスピーカ１２により再生する。コンテンツ選択操作は、リモコン１３のカーソルボタン３４ａ〜３４ｄを押下して、コンテンツリスト上に表示されるカーソルによりコンテンツのタイトル名を選択したうえで、決定ボタン３５を押下することにより、又は、リモコン１３の数字ボタン３３を押下して、コンテンツの整理番号を入力することにより行われる。
【００３４】
このような構成のコンテンツ再生装置１によれば、再生しようとする目的のコンテンツがフォトコンテンツである場合には、フォトボタン３１ａの押下操作という１回の操作によって、目的のフォトコンテンツを含むフォトコンテンツについてのコンテンツリストが表示され、そのコンテンツリストの中から目的のフォトコンテンツを見つけ出すことができる。そして、そのコンテンツリストに表示されている目的のフォトコンテンツをコンテンツ選択操作により選択することによって、すなわち、フォトボタン３１ａの押下操作とコンテンツ選択操作という２回の操作によって、目的のフォトコンテンツを再生することができる。
【００３５】
また、再生しようとする目的のコンテンツがミュージックコンテンツである場合には、ミュージックボタン３１ｂの押下操作という１回の操作によって、目的のミュージックコンテンツを含むミュージックコンテンツについてのコンテンツリストが表示され、そのコンテンツリストの中から目的のミュージックコンテンツを見つけ出すことができる。そして、そのコンテンツリストに表示されている目的のミュージックコンテンツをコンテンツ選択操作により選択することによって、すなわち、ミュージックボタン３１ｂの押下操作とコンテンツ選択操作という２回の操作によって、目的のミュージックコンテンツを再生することができる。
【００３６】
また、再生しようとする目的のコンテンツがビデオコンテンツである場合には、ビデオボタン３１ｃの押下操作という１回の操作によって、目的のビデオコンテンツを含むビデオコンテンツについてのコンテンツリストが表示され、そのコンテンツリストの中から目的のビデオコンテンツを見つけ出すことができる。そして、そのコンテンツリストに表示されている目的のビデオコンテンツをコンテンツ選択操作により選択することによって、すなわち、ビデオボタン３１ｃの押下操作とコンテンツ選択操作という２回の操作によって、目的のビデオコンテンツを再生することができる。
【００３７】
従って、このような構成のコンテンツ再生装置１によれば、フォトコンテンツ、ミュージックコンテンツ、ビデオコンテンツについて、より少ない操作回数で目的のコンテンツを見つけ出して再生することができ、使い勝手が向上する。
【００３８】
なお、本発明は、上記実施形態の構成に限られず、種々の変形が可能である。例えば、リモコンに設けられるダイレクトボタンは、フォトボタン、ミュージックボタン、及びビデオボタンのうちのいずれか１つ、又は、いずれか２つであってもよい。コンテンツ再生装置は、コンテンツが記憶されるコンテンツ記憶部を備えていてもよく、この場合には、コンテンツ記憶部に記憶しているコンテンツ及びコンテンツ供給装置に記憶されているコンテンツについてのコンテンツ情報を収集して、コンテンツ記憶部に記憶しているコンテンツ及びコンテンツ供給装置に記憶されているコンテンツについてのコンテンツリストを表示するようにすればよい。また、コンテンツ再生装置がコンテンツ記憶部を備えている構成では、コンテンツ供給装置を接続せずに使用することも可能であり、この場合には、コンテンツ記憶部に記憶しているコンテンツについてのコンテンツ情報を収集して、コンテンツ記憶部に記憶しているコンテンツについてのコンテンツリストを表示するようにすればよい。
【図面の簡単な説明】
【００３９】
【図１】本発明の一実施形態に係るコンテンツ再生装置とコンテンツ供給装置との接続構成を示す図。
【図２】同コンテンツ再生装置の電気的ブロック構成図。
【図３】同コンテンツ再生装置のリモコンの構成を示す平面図。
【図４】同コンテンツ再生装置のビデオコンテンツについてのコンテンツリストの表示例を示す図。
【図５】同コンテンツ再生装置の動作を示すフローチャート。
【符号の説明】
【００４０】
１    コンテンツ再生装置
２ａ、２ｂ、２ｃ    コンテンツ供給装置
３    ＬＡＮ
１１    ディスプレイ
１２    スピーカ
１３    リモコン（操作手段）
１５    制御部（コンテンツ再生制御手段、リスト表示制御手段）
１６    通信部
１７    チューナ
１８    ＡＶ処理部
１９    リモコン受信部
３１    ダイレクトボタン
３１ａ    フォトボタン
３１ｂ    ミュージックボタン
３１ｃ    ビデオボタン
３２    テレビボタン
３３    数字ボタン
３４ａ〜３４ｄ    カーソルボタン
３５    決定ボタン
３６    投光部
【図１】
2008311822.tif 000003
【図２】
2008311822.tif 000004
【図３】
2008311822.tif 000005
【図４】
2008311822.tif 000006
【図５】
2008311822.tif 000007